(57)【要約】【課題】デザイン性や設計自由度を低下させることなく、外部機器とのデータ伝送や、内蔵する充電用バッテリの充電を良好に行うことができる電子機器を提供する。【解決手段】電子機器１００の操作ボタン１２１、１２２の内部に、操作方向が同一方向になるように充電端子１７３が組み込まれている。また、操作ボタン１２１、１２２および充電端子１７３の操作方向側には、充電端子１７３が挿通可能であって、かつ、操作ボタン１２１、１２２が挿通不可能な端子貫通穴１８３を有する入力設定用バネ部材１８０が配置されている。充電端子１７３を押し込むように操作することにより、充電端子１７３が入力設定用バネ部材１８０に接触することなく端子貫通穴１８３を挿通し、電源部１７０に接続された充電用接点部材１９１に電気的に接触することにより、外部から供給される電力が充電池１７１に充電される。【選択図】図３
2014060089.tif 000002
【特許請求の範囲】
【請求項１】
機器本体の外面に露出して設けられた第１のボタンスイッチと、
前記第１のボタンスイッチと操作方向が同一方向に設定され、かつ、前記第１のボタンスイッチとは独立して前記操作方向に押下されるように、前記第１のボタンスイッチに組み込まれた第２のボタンスイッチと、
前記第１のボタンスイッチ及び前記第２のボタンスイッチに対して、前記第１のボタンスイッチ及び前記第２のボタンスイッチが押下される側に配置された導電性の弾性部材と、
前記第１のボタンスイッチを前記操作方向に押下することにより、前記弾性部材に接触する第１の接点と、
前記第２のボタンスイッチを前記操作方向に押下することにより、前記弾性部材に接触することなく、前記第２のボタンスイッチに接触する第２の接点と、
を有することを特徴とする電子機器。
【請求項２】
前記第１のボタンスイッチは、絶縁性の部材により構成され、前記操作方向に押下されることにより、前記弾性部材を押圧して、前記弾性部材と前記第１の接点とを電気的に接続させ、
前記第２のボタンスイッチは、導電性の部材により構成され、前記操作方向に押下されることにより、前記弾性部材に接触することなく、前記第２の接点に電気的に接続することを特徴とする請求項１記載の電子機器。
【請求項３】
前記第２のボタンスイッチは、前記機器本体の外部から所定の電力が供給され、前記操作方向に操作されることにより電気的に接触した前記第２の接点を介して、前記機器本体の内部に設けられた駆動用電源に前記電力を充電することを特徴とする請求項２記載の電子機器。
【請求項４】
前記第２のボタンスイッチは、前記機器本体の外部に設けられた外部機器に接続され、前記操作方向に操作されることにより電気的に接触した前記第２の接点を介して、前記外部機器との間で情報を電子的に伝送することを特徴とする請求項２記載の電子機器。
【発明の詳細な説明】
【技術分野】
【０００１】
本発明は、電子機器に関し、特に、データ伝送や内蔵バッテリへの充電のために外部機器と接続される機構を備えた電子機器に関する。
【背景技術】
【０００２】
従来、携帯電話機やスマートフォン、腕時計型端末等の携帯型の電子機器等において、パーソナルコンピュータ等の外部機器とのデータ伝送や、電子機器に内蔵された充電用バッテリへの充電のために、機器筐体の外面に露出する接続機構を備えたものが知られている。
【０００３】
例えば、特許文献１には、電子腕時計において、時計ケース（機器筐体）の側部に導電性のシャフトが露出するジャック部が設けられ、データ伝送用のケーブルの一端に設けられたプラグをジャック部に差し込むことにより、シャフトが電子腕時計の内部方向に押し込まれて内部の端子に接触し、プラグと内部の端子とが電気的に接続される機構が開示されている。
【０００４】
なお、特許文献１においては、上記ケーブルを介して、電子腕時計と外部のパーソナルコンピュータとを接続し、各種のデータを伝送する構成が記載されているが、一般に、機器筐体の外面に露出して設けられた接続端子を介して、外部の充電装置から電力を供給して、電子機器に内蔵された充電用バッテリを充電する構成についても、広く知られている。
【先行技術文献】
【特許文献】
【０００５】
【特許文献１】実開平０３−００８７９３号公報
【発明の概要】
【発明が解決しようとする課題】
【０００６】
上述したような特許文献１に開示されたような接続機構を備えた電子機器においては、データ伝送用や充電用の端子や接点が、機器筐体の外面に露出して設けられているため、電子機器の外観を著しく劣化させてデザイン性を低下させたり、設計自由度を低下させたりするという問題を有している。
【０００７】
なお、近年においては、機器筐体の外面に接続端子や接点を設けることなく、外部機器と非接触状態でデータ伝送や内蔵バッテリの充電を行う技術が開発されている。しかしながら、このような方式においては、電子機器に非接触でデータ伝送や充電を行うための回路や、コイル、アンテナ等を備える必要があるため、特に、上述した電子腕時計や携帯電話機、スマートフォン等の携帯型の電子機器においては、製品サイズの大型化やコストの増加を招き、商品競争力を低下させるという問題を有している。
【０００８】
そこで、本発明は、上述した問題点に鑑み、デザイン性や設計自由度を低下させることなく、外部機器とのデータ伝送や、内蔵する充電用バッテリの充電を良好に行うことができる電子機器を提供することを目的とする。
【課題を解決するための手段】
【０００９】
本発明に係る電子機器は、
機器本体の外面に露出して設けられた第１のボタンスイッチと、
前記第１のボタンスイッチと操作方向が同一方向に設定され、かつ、前記第１のボタンスイッチとは独立して前記操作方向に押下されるように、前記第１のボタンスイッチに組み込まれた第２のボタンスイッチと、
前記第１のボタンスイッチ及び前記第２のボタンスイッチに対して、前記第１のボタンスイッチ及び前記第２のボタンスイッチが押下される側に配置された導電性の弾性部材と、
前記第１のボタンスイッチを前記操作方向に押下することにより、前記弾性部材に接触する第１の接点と、
前記第２のボタンスイッチを前記操作方向に押下することにより、前記弾性部材に接触することなく、前記第２のボタンスイッチに接触する第２の接点と、
を有することを特徴とする。
【発明の効果】
【００１０】
本発明によれば、デザイン性や設計自由度を低下させることなく、外部機器とのデータ伝送や、内蔵する充電用バッテリの充電を良好に行うことができる。
【図面の簡単な説明】
【００１１】
【図１】本発明に係る電子機器の一実施形態を示す概略構成図である。
【図２】一実施形態に係る電子機器の一構成例を示すブロック図である。
【図３】一実施形態に係る電子機器の入力インターフェース部に適用される操作ボタン周辺の構成を示す概略図である。
【図４】一実施形態に係る入力インターフェース部に適用される操作ボタンの一構成例を示す概略図である。
【図５】一実施形態に係る操作ボタンの操作により可動する入力設定用バネ部材の一構成例を示す概略図である。
【図６】一実施形態に係る電子機器の操作方法を示す概略図である。
【図７】一実施形態に係る電子機器に適用される充電アダプタの構成例を示す概念図である。
【図８】一実施形態に係る電子機器をデータ伝送操作に適用する場合の構成例を示す概念図である。
【発明を実施するための形態】
【００１２】
以下、本発明に係る電子機器について、実施形態を示して詳しく説明する。
（電子機器）
図１は、本発明に係る電子機器の一実施形態を示す概略構成図である。図１（ａ）は、電子機器の斜視図であり、図１（ｂ）は、電子機器の側面図である。図２は、本実施形態に係る電子機器の一構成例を示すブロック図である。ここでは、本発明に係る電子機器に対して、外部に設けられた充電装置（充電アダプタ）から電力を供給して、内蔵する充電用バッテリ（充電池）を充電する場合について実施形態を示すが、本発明はこれに限定されるものではない。すなわち、後述するように、本実施形態と同等の構成により、パーソナルコンピュータ等の外部機器との間で種々のデータを伝送する場合についても良好に適用することができる。
【００１３】
一実施形態に係る電子機器は、例えば図１（ａ）に示すように、腕時計型（または、リストバンド型）の外観形状を有し、大別して、ユーザ（機器使用者）に所定の情報を提供するための表示部１３１を備えた機器本体１０１と、ユーザの手首に巻き付けることにより機器本体１０１を手首に装着するためのベルト部１０２と、を備えている。
【００１４】
電子機器１００は、具体的には、図２に示すように、大別して、センサ部１１０と、入力インターフェース部１２０と、出力インターフェース部１３０と、通信部１４０と、中央演算回路（以下、「ＣＰＵ」と略記する）１５０と、メモリ１６０と、電源部１７０と、を備えている。
【００１５】
センサ部１１０は、例えば図２に示すように、加速度センサ１１１と、角速度センサ（ジャイロセンサ）１１２と、地磁気センサ（電子コンパス）１１３と、ＧＰＳ（Global Positioning System；全地球測位システム）アンテナを含むＧＰＳモジュール１１４と、を有している。加速度センサ１１１は、ユーザの走行中の動作速度の変化の割合（加速度）を検出して加速度データとして出力する。角速度センサ（ジャイロセンサ）１２２は、ユーザの運動中の動作方向の変化（角速度）を検出して角速度データとしてする。地磁気センサ１１３は、地球の磁場（磁界）の方向を検出して地磁気データまたは電子機器１００の水平方向の方向データとして出力する。また、ＧＰＳモジュール１１４は、複数のＧＰＳ衛星からの電波を、ＧＰＳアンテナを介して受信することにより、緯度経度からなる（地理的な）位置データを検出する。これらの各種センサにより検出されたセンサデータは、各センサの計測時間に関連付けられてメモリ１６０の所定の記憶領域に保存される。
【００１６】
入力インターフェース部１２０は、例えば図２に示すように、操作ボタン１２１、１２２と、タッチパネル１２３と、を有している。操作ボタン１２１、１２２は、例えば図１（ａ）、（ｂ）に示すように、機器本体１０１の側面に突出するように設けられ、上述したセンサ部１１０に設けられた各種センサにおける検出や測定の開始や終了、一時停止等の動作（センシング動作）、表示部１３１に表示する項目の設定等の、各種機能の入力設定操作に用いられる。なお、操作ボタン１２１の詳細な構成および操作方法については後述する。
【００１７】
また、タッチパネル１２３は、後述する出力インターフェース部１３０に設けられる表示部１３１の前面（視野側）に配置、または、表示部１３１の前面に一体的に形成され、表示部１３１に表示された情報に応じた領域をタッチ操作することにより、当該情報に対応する機能が選択的に実行される。ここで、タッチパネル１２３により実現される機能は、上記の操作ボタン１２１、１２３により実現される機能と同等であってもよいし、タッチパネル１２３による操作特有の機能を有していてもよい。なお、本実施形態に係る入力インターフェース部１２０は、少なくとも操作ボタン１２１、１２２を備えていればよく、タッチパネル１２３を備えていない構成であってもよい。
【００１８】
出力インターフェース部１３０は、例えば図２に示すように、表示部１３１と、音響部１３２と、振動部１３３と、を有している。表示部１３１は、カラーやモノクロ表示が可能な液晶方式や有機ＥＬ方式の表示パネルを有し、少なくとも上述したセンサ部１１０の各種センサにより検出されたセンサデータや、当該センサデータに基づいて取得された各種の生体情報や運動情報、あるいは、時刻情報等を表示する。ここで、表示部１３１における各種の情報の表示形態は、上述した操作ボタン１２１、１２２やタッチパネル１２３を操作することにより任意に設定される。
【００１９】
また、音響部１３２は、ブザーやスピーカ等の音響機器を有し、所定の音色や音パターン、音声メッセージ等の音情報を発生することにより、聴覚を通してユーザに各種の情報を提供または報知する。振動部１３３は、振動モータや振動子等の振動機器（バイブレータ）を有し、所定の振動パターンやその強弱等の振動情報を発生することにより、触覚を通してユーザに各種の情報を提供または報知する。なお、出力インターフェース部１３０は、少なくとも表示部１３１、音響部１３２、振動部１３３のいずれかを有していればよく、特に、数値情報等の具体的な情報をユーザに提供する場合には、少なくとも表示部１３１または音響部１３２のいずれか一方を備えた構成を有していることが好ましい。
【００２０】
通信部１４０は、電子機器１００の外部に設けられた機器（外部機器；図示を省略）との間で所定の通信方式により種々のデータの伝送を行う。ここで、外部機器との間のデータの伝送方法については、ブルートゥース（Bluetooth（登録商標））やブルートゥースローエナジー（Bluetooth（登録商標） low energy）等の無線通信による方式や、通信ケーブルを介した有線通信による方式を適用することができる。なお、電子機器１００が外部機器とのデータ伝送を行わない、もしくは、データ伝送を必要としない構成の場合には、通信部１４０を省略することができる。
【００２１】
メモリ１６０は、不揮発性メモリを有し、上述したセンサ部１１０から出力された各種のセンサデータや、これらのセンサデータに基づいて導出された生体情報や運動情報、通信部１４０を介して外部機器から伝送された各種データ等を、センサの計測時間や所定の動作時間に関連付けて保存する。また、メモリ１６０は、ＣＰＵ１５０において所定の制御プログラムを実行する際に使用、または、生成される各種データを一時的に保存する。ここで、メモリ１６０は、ＲＯＭ（Read Only Memory；読み出し専用メモリ）やフラッシュメモリを有し、当該制御プログラムを保存するものであってもよい。なお、メモリ１６０を構成する不揮発性メモリ部分は、その一部または全部が、例えばメモリカード等のリムーバブル記憶媒体としての形態を有し、機器本体１０１に対して着脱可能に構成されているものであってもよい。
【００２２】
ＣＰＵ１５０は、計時機能を備え、上記のメモリ１６０に保存された制御プログラムに従って処理を行うことにより、センサ部１１０の各種センサにおけるセンシング動作や、入力インターフェース部１２０における入力操作、出力インターフェース１３０における表示や振動等の動作、通信部１４０におけるデータ伝送動作、電源部１７０における充電動作等の、各構成における動作を制御して所定の機能を実現する。なお、ＣＰＵ１５０において実行される制御プログラムは、予めＣＰＵ１５０内部に組み込まれているものであってもよい。
【００２３】
電源部１７０は、例えば図２に示すように、充電池１７１と、充電回路１７２と、を有している。充電池１７１は、電子機器１００の外部から供給される電力を充電するとともに、電子機器１００内部の各構成に駆動電力を供給する。充電池１７１は、例えばリチウムイオン電池やニッケル水素電池等の二次電池が適用される。充電回路１７２は、上記操作ボタン１２１、１２２に組み込まれた充電端子を介して、電子機器１００の外部から供給される電力を充電池１７１に充電する制御を行う。なお、電源部１７０に外部から電力を供給するための充電端子や、電子機器１００に接続される充電アダプタの構成については後述する。
【００２４】
（操作ボタンの具体構成）
次に、本実施形態に係る電子機器の入力インターフェース部に適用される操作ボタンの具体的な構成について説明する。
【００２５】
図３は、本実施形態に係る電子機器の入力インターフェース部に適用される操作ボタン周辺の構成を示す概略図である。図３（ａ）は、操作ボタン周辺の構成を示す要部断面図であり、図３（ｂ）は、図３（ａ）に示したIIIＢ−IIIＢ線に沿った断面構造を示す図である。なお、本明細書においては、図３に示したローマ数字の「３」に対応する記号として便宜的に「III」を用いる。また、図４は、本実施形態に係る入力インターフェース部に適用される操作ボタンの一構成例を示す概略図である。図４（ａ）は、操作ボタンの構成を示す側面図であり、図４（ｂ）は、図４（ａ）に示したIVＢ−IVＢ線に沿った断面構造を示す図である。なお、本明細書においては、図４に示したローマ数字の「４」に対応する記号として便宜的に「IV」を用いる。また、図５は、本実施形態に係る操作ボタンの操作により可動する入力設定用バネ部材の一構成例を示す概略図である。図５（ａ）は、入力設定用バネ部材の要部を示す斜視図であり、図５（ｂ）は、入力設定用バネ部材の要部を示す正面図であり、図５（ｃ）は、入力設定用バネ部材の要部を示す側面図である。
【００２６】
本実施形態に適用される操作ボタン１２１、１２２は、例えば図１、図３に示すように、機器本体１０１のケース１０３の側面から機器本体１０１の内部空間１０７に貫通するように設けられた段付き貫通穴１０４に挿通するように組み込まれている。具体的には、段付き貫通穴１０４は、図３（ａ）に示すように、機器本体１０１の内部空間１０７に連通し、開口径が小さい貫通穴部分１０４ａと、ケース１０３の側面（図面右方側の面）側に設けられ、貫通穴部分１０４ａよりも開口径が大きいザグリ穴部分１０４ｂと、を有している。一方、操作ボタン１２１、１２２は、図３（ａ）、図４（ａ）に示すように、円筒形状（または円柱形状）を有し、当該直径が小さい端子ピン本体１２１ａと、端子ピン本体１２１ａの一端側（図面右方側）に設けられ、当該端子ピン本体１２１ａよりも直径が大きい、略円盤形状を有するフランジ部１２１ｂと、を有している。また、端子ピン本体１２１ａの他端側（図面左方側）には、外周面に沿ってＥリング溝が設けられ、当該Ｅリング溝にＥリング１７７が係止されている。このように、操作ボタン１２１、１２２は、上記のフランジ部１２１ｂとＥリング１７７により、段付き貫通穴１０４に挿通された状態が保持され、段付き貫通穴１０４から抜け落ちないように構成されている。
【００２７】
ここで、図３（ａ）に示すように、操作ボタン１２１、１２２の端子ピン本体１２１ａの直径は、上記の段付き貫通穴１０４に設けられた貫通穴部分１０４ａの開口径よりもわずかに小さくなるように設定され、当該貫通穴部分１０４ａの内周面に対して、端子ピン本体１２１ａの外周面がほぼ接して、図面左右方向（操作方向）に摺動するように形成されている。また、フランジ部１２１ｂの直径は、上記の段付き貫通穴１０４に設けられたザグリ穴部分１０４ｂの開口径よりもわずかに小さくなるように設定され、当該ザグリ穴部分１０４ｂの内周面に対して、フランジ部１２１ｂの外周面がほぼ接して摺動するように形成されている。
【００２８】
また、図３（ａ）、図４（ａ）に示すように、操作ボタン１２１、１２２の端子ピン本体１２１ａの外周面と、ケース１０３の側面に設けられた段付き貫通穴１０４の内周面との間には、防水用のゴム製のパッキン（例えばＯリング）１７８が両者に密着するように組み込まれている。これにより、段付き貫通穴１０４を介して機器本体１０１の外部から内部空間１０７への水分の侵入が防止され、電子機器１００の防水性が確保される。また、端子ピン本体１２１ａの外周面において、上記パッキン１７８とフランジ部１２１ｂとの間には、所定の弾性力（またはバネ定数）を有するコイルスプリング１７９が介挿されている。これにより、操作ボタン１２１、１２２はケース１０３に対して、常時図３（ａ）の右方向に付勢されて、ユーザにより操作ボタン１２１、１２２をケース１０３の内部空間１０７方向（図面左方向）に押圧する操作が行われた後には、所定の初期状態（初期位置）に復起する。この初期状態においては、端子ピン本体１２１ａのＥリング１７７は、機器本体１０１の内部空間１０７側のケース１０３壁面に当接した状態となる。
【００２９】
このような操作ボタン１２１、１２２は、後述するように、内部に導電性の充電端子１７３が組み込まれ、かつ、操作ボタン１２１、１２２の操作により、導電性の入力設定用バネ部材１８０に接触するものであるので、電流のリークやショートにより電子機器１００の故障や破損が生じないように、樹脂材料等の絶縁性材料により形成された部材、または、それに準じた表面処理を施した部材が適用される。
【００３０】
また、図３に示すように、操作ボタン１２１、１２２には、端子ピン本体１２１ａの延在方向（図面左右方向）に段付き貫通穴１２４が設けられ、当該段付き貫通穴１２４に挿通するように充電端子１７３が組み込まれている。ここで、本実施形態においては、充電端子１７３は、操作ボタン１２１、１２２と操作方向が一致、または、操作ボタン１２１、１２２と充電端子１７３の操作方向の中心軸が一致する（同軸になる）ように組み込まれている。具体的には、段付き貫通穴１２４は、図３（ｂ）、図４（ｂ）に示すように、操作ボタン１２１、１２２の他端側（図面左方側）の端面に連通し、開口径が小さい貫通穴部分１２４ａと、操作ボタン１２１、１２２のフランジ部１２１ｂ側（図面右方側）に設けられ、貫通穴部分１２４ａよりも開口径が大きいザグリ穴部分１２４ｂと、を有している。一方、充電端子１７３は、図３（ｂ）、図４（ｂ）に示すように、円柱形状を有し、当該直径が小さい端子ピン本体１７３ａと、端子ピン本体１７３ａの一端側（図面右方側）に設けられ、当該端子ピン本体１７３ａよりも直径が大きく、略円盤形状を有するフランジ部１７３ｂと、を有している。また、端子ピン本体１７３ａの他端側（図面左方側）には、外周面に沿ってＥリング溝が設けられ、当該Ｅリング溝にＥリング１７４が係止されている。このように、充電端子１７３は、上記のフランジ部１７３ｂとＥリング１７４により、段付き貫通穴１２４に挿通された状態が保持され、段付き貫通穴１２４から抜け落ちないように構成されている。
【００３１】
ここで、図３（ｂ）、図４（ｂ）に示すように、充電端子１７３の端子ピン本体１７３ａの直径は、上記の段付き貫通穴１２４に設けられた貫通穴部分１２４ａの開口径よりもわずかに小さくなるように設定され、当該貫通穴部分１２４ａの内周面に対して、端子ピン本体１７３ａの外周面がほぼ接して、図面左右方向（操作方向）に摺動するように形成されている。また、フランジ部１７３ｂの直径は、上記の段付き貫通穴１２４に設けられたザグリ穴部分１２４ｂの開口径よりもわずかに小さくなるように設定され、当該ザグリ穴部分１２４ｂの内周面に対して、フランジ部１７３ｂの外周面がほぼ接して摺動するように形成されている。
【００３２】
また、図３（ｂ）、図４（ｂ）に示すように、充電端子１７３の端子ピン本体１７３ａの外周面と、操作ボタン１２１、１２２に設けられた段付き貫通穴１２４の内周面との間には、防水用のゴム製のパッキン（例えばＯリング）１７５が両者に密着するように組み込まれている。これにより、段付き貫通穴１２４を介して機器本体１０１の外部から内部空間１０７への水分の侵入が防止され、電子機器１００の防水性が確保される。また、端子ピン本体１７３ａの外周面において、上記パッキン１７５とフランジ部１７３ｂ間には、所定の弾性力（またはバネ定数）を有するコイルスプリング１７６が介挿されている。ここで、コイルスプリング１７６は、操作ボタン１２１、１２２の端子ピン本体１２１ａの外周面に介挿されるコイルスプリング１７９に比較して、弾性力が大きく（またはバネ定数が小さく）なるように設定されている。これにより、充電端子１７３は操作ボタン１２１、１２２に対して、常時図３（ｂ）の右方向に付勢されて、ユーザにより充電端子１７３をケース１０３の内部空間１０７方向（図面左方向）に押圧する操作が行われた後には、所定の初期状態に復起する。この初期状態においては、充電端子１７３の端子ピン本体１７３ａのＥリング１７４は、操作ボタン１２１、１２２の端子ピン本体１２１ａの他端側（図面左方側）の端面に当接した状態となるように設定されている。なお、本実施形態においては、この初期状態において、図３（ｂ）に示すように、充電端子１７３の端子ピン本体１７３ａのフランジ部１７３ｂの一端側（図面右方側）の端面が、操作ボタン１２１、１２２の端子ピン本体１２１ａのフランジ部１２１ｂの一端側（図面右方側）の端面と面一となるように設定されているが、本発明はこれに限定されるものではない。すなわち、充電端子１７３の端子ピン本体１７３ａのフランジ部１７３ｂの一端側の端面が、操作ボタン１２１、１２２の端子ピン本体１２１ａのフランジ部１２１ｂの一端側の端面よりも、段付き貫通穴１２４の内部方向（図面左方向）に位置するように設定されているものであってもよい。
【００３３】
このような充電端子１７３は、後述するように、電子機器１００の外部からの充電用の電力を、内部空間１０７に収納された電源部１７０（充電池１７１）に供給するものであるので、金属材料等の導電性材料により形成された部材、または、それに準じた表面処理を施した部材が適用される。
【００３４】
また、図３（ａ）に示すように、機器本体１０１の内部空間１０７は、ケース１０３の視野側（図面上面側）がカバーガラス１０５により封止され、ケース１０３の背面側（図面下面側）が裏蓋１０６により封止されることにより形成されている。内部空間１０７には、図２に示したセンサ部１１０や入力インターフェース部１２０、出力インターフェース部１３０、通信部１４０、ＣＰＵ１５０、メモリ１６０、電源部１７０が収納されている。これらの各構成は、例えば図示を省略した回路基板に搭載されている。また、図３（ｂ）に示すように、内部空間１０７には、上述した操作ボタン１２１、１２２および充電端子１７３の他端側が突出するとともに、当該操作ボタン１２１、１２２および充電端子１７３の他端側に近接して操作入力用接点部材１９２と、充電用接点部材１９１が配置されている。操作入力用接点部材１９２は、回路基板に搭載されたＣＰＵ１５０に電気的に接続され、充電用接点部材１９１は、上述した電源部１７０の充電回路１７２に電気的に接続されている。また、図３（ａ）、（ｂ）に示すように、内部空間１０７には、上記操作ボタン１２１、１２２および充電端子１７３の他端側と、操作入力用接点部材１９２および充電用接点部材１９１との間の空間に、入力設定用バネ部材１８０が配置されている。
【００３５】
入力設定用バネ部材１８０は、具体的には、例えば図５（ａ）〜（ｃ）に示すように、バネ性を有する導電性の平板部材１８１が適用され、少なくとも当該平板部材１８１の一端側（図面上端側）に、Ｒ加工部１８２と、端子貫通穴１８３と、が設けられている。Ｒ加工部１８２は、入力設定用バネ部材１８０の一面側（例えば図５（ｃ）の左面側）に突出するように曲げ加工して設けられている。また、端子貫通穴１８３は、上記Ｒ加工部１８２の近傍の平板部分に設けられ、充電端子１７３の端子ピン本体１７３ａおよびその他端側に係止されたＥリング１７４が挿通可能であって、かつ、操作ボタン１２１、１２２の端子ピン本体１２１ａおよびその他端側に係止されたＥリング１７７が挿通不可能な開口径に設定されている。そして、入力設定用バネ部材１８０は、図３（ｂ）に示すように、Ｒ加工部１８２や端子貫通穴１８３が設けられた一端側が可動端となり、他端側（図５の下端側）が固定端となるように、当該他端側が内部空間１０７内のケース１０３等に固定されている。ここで、入力設定用バネ部材１８０は、操作ボタン１２１、１２２および充電端子１７３が操作されていない状態（初期状態）においては、充電用接点部材１９１および操作入力用接点部材１９２とは接触することなく、離間する位置に配置されている。また、入力設定用バネ部材１８０は、端子貫通穴１８３の中心軸が、上述した操作ボタン１２１、１２２に組み込まれた充電端子１７３の端子ピン本体１７３ａの延在方向（図３（ｂ）の左右方向；操作ボタン１２１、１２２および充電端子１７３の操作方向）の中心軸と一致、または、略一致するように配置されている。
【００３６】
このような入力設定用バネ部材１８０において、ユーザが操作ボタン１２１、１２２を押し込む操作（入力設定操作）を行うと、平板部材１８１が操作ボタン１２１、１２２の他端側に押圧されて湾曲し、可動端側のＲ加工部１８２が操作入力用接点部材１９２に電気的に接触することにより、所定の入力信号がＣＰＵ１５０に伝達される。また、ユーザが充電端子１７３を押し込む操作（充電操作）を行うと、当該充電端子１７３が入力設定用バネ部材１８０に接触することなく端子貫通穴１８３を挿通し、充電用接点部材１９１に電気的に接触することにより、充電端子１７３を介して供給される電力が電源部１７０に供給される。
【００３７】
なお、本実施形態に示した入力設定用バネ部材１８０の形状は、一例であって、本発明はこれに限定されるものではなく、例えば平板部材１８１に設けられるＲ加工部１８２に替えて、入力設定用バネ部材１８０の一面側に突出するように導電性部材を接続したものであってもよい。
【００３８】
（操作方法）
次に、上述した構成を有する電子機器における入力設定操作および充電操作について説明する。
図６は、本実施形態に係る電子機器の操作方法を示す概略図である。図６（ａ）は、電子機器における入力設定操作を示す要部断面図であり、図６（ｂ）は、電子機器における充電操作を示す要部断面図である。ここで、本実施形態に係る電子機器の初期状態（操作ボタンを操作していない状態）については、図３（ｂ）を参照して説明する。
【００３９】
本実施形態に係る電子機器１００に対するユーザの操作方法としては、入力設定操作と、充電操作と、に大別することができる。電子機器１００の入力設定操作においては、まず、図３（ｂ）に示したような初期状態において、図６（ａ）に示すように、ユーザが操作ボタン１２１、１２２のフランジ部１２１ｂ全体を、指先２５０等により押圧して当該操作ボタン１２１、１２２全体を機器本体１０１の内部空間１０７方向（図中、矢印Ｆ１で表記）に押し込む操作を行う（押下する）。これにより、操作ボタン１２１、１２２の他端側が内部空間１０７に突出して、入力設定用バネ部材１８０の可動端側が図面左方向に押圧される。ここで、入力設定用バネ部材１８０に設けられた端子貫通穴１８３は、操作ボタン１２１、１２２の端子ピン本体１２１ａや、端子ピン本体１２１ａに係止されたＥリング１７７が挿通不可能な開口径を有しているため、操作ボタン１２１、１２２の他端側の内部空間１０７への突出量に応じて、入力設定用バネ部材１８０の平板部材１８１が湾曲する。
【００４０】
そして、操作ボタン１２１、１２２の他端側の内部空間１０７への突出量が所定値になる程度に操作ボタン１２１、１２２が押し込まれると、図６（ａ）に示すように、入力設定用バネ部材１８０の可動端側のＲ加工部１８２が、内部空間１０７に配置された操作入力用接点部材１９２に電気的に接触する。これにより、入力設定用バネ部材１８０に予め印加されていた信号電圧（例えば接地電位Ｖgnd）が操作入力用接点部材１９２を介して、ＣＰＵ１５０に入力信号として伝達される。ＣＰＵ１５０は、このようにして伝達された入力信号に基づいて、予め設定された機能（例えば、電子機器１００における各種の設定や動作の選択、変更等）を実現する。
【００４１】
次いで、ユーザが操作ボタン１２１、１２２全体を機器本体１０１の内部空間１０７方向に押し込む操作を止めると、端子ピン本体１２１ａの外周面に介挿されたコイルスプリング１７９の弾性力により、操作ボタン１２１、１２２はケース１０３に対して、図面右方向に付勢されて、図３（ｂ）に示した初期状態に復起する。
【００４２】
一方、電子機器１００の充電操作においては、まず、図３（ｂ）に示したような初期状態において、図６（ｂ）に示すように、ユーザが操作ボタン１２１、１２２に組み込まれた充電端子１７３のフランジ部１７３ｂを、充電アダプタ（図示を省略）の給電端子２１１、２１２により押圧して、操作ボタン１２１、１２２を移動させることなく、充電端子１７３のみを機器本体１０１の内部空間１０７方向（図中、矢印Ｆ２で表記）に押し込む操作を行う（押下する）。ここで、入力設定用バネ部材１８０に設けられた端子貫通穴１８３は、充電端子１７３の端子ピン本体１７３ａや、端子ピン本体１７３ａに係止されたＥリング１７４が挿通可能な開口径を有しているため、充電端子１７３の他端側が入力設定用バネ部材１８０に接触することなく端子貫通穴１８３を挿通し、内部空間１０７に突出する。
【００４３】
そして、充電端子１７３の他端側の内部空間１０７への突出量が所定値になる程度に充電端子１７３が押し込まれると、図６（ｂ）に示すように、充電端子１７３の他端側が、内部空間１０７に配置された充電用接点部材１９１に電気的に接触する。これにより、充電アダプタの給電端子２１１、２１２により充電端子１７３に供給される電力が充電用接点部材１９１を介して、電源部１７０の充電回路１７２に供給されて充電池１７１に充電される。
【００４４】
次いで、ユーザが給電端子２１１、２１２により充電端子１７３を機器本体１０１の内部空間１０７方向に押し込む操作を止めると、充電端子１７３の外周面に介挿されたコイルスプリング１７６の弾性力により、充電端子１７３は操作ボタン１２１、１２２に対して、図面右方向に付勢されて、図３（ｂ）に示した初期状態に復起する。
【００４５】
上述したように、本実施形態においては、操作ボタン１２１、１２２の内部に充電端子１７３が組み込まれ、かつ、操作ボタン１２１、１２２と充電端子１７３の操作方向が同一方向になるように構成されているので、外観上、操作ボタン１２１、１２２と充電端子１７３を一体化することができる。これにより、充電用の端子や接点が機器筐体の外面に独立して露出する構成に比較して、デザイン性や設計自由度の向上、製品サイズの小型化を図ることができる。また、機器筐体の外面に接続端子や接点を設けることなく、非接触状態で内蔵バッテリの充電を行う構成に比較して、非接触充電の回路やコイル等を備える必要がないので、製品サイズの小型化やコストの削減を図ることができる。ここで、本実施形態によれば、充電用の端子構造を省スペース化することができるので、上記の製品サイズの小型化に替えて、内蔵する充電池を大容量化して電子機器の長寿命化を図ることもできる。
【００４６】
さらに、本実施形態においては、操作ボタン１２１、１２２および充電端子１７３の他端側（すなわち、操作方向側）に、充電端子１７３が挿通可能であって、かつ、操作ボタン１２１、１２２が挿通不可能な端子貫通穴１８３を有する入力設定用バネ部材１８０が配置された構成を有している。これにより、ユーザが充電端子１７３を操作した場合にのみ、充電端子１７３が入力設定用バネ部材１８０に接触することなく端子貫通穴１８３を挿通して、充電用接点部材１９１に電気的に接触するので、電子機器１００の外部から充電端子１７３を介して電源部１７０に充電用の電力を供給して、充電池１７１を良好に充電することができる。
【００４７】
（適用例）
次に、上述した実施形態に示した電子機器に適用される充電アダプタについて説明する。
図７は、本実施形態に係る電子機器に適用される充電アダプタの構成例を示す概念図である。ここで、上述した実施形態と同等の構成については同一の符号を付して説明を簡略化する。
【００４８】
上述した実施形態に係る電子機器１００は、例えば図７に示すような充電アダプタ２００を適用することにより、電源部１７０の充電池１７１が充電される。具体的には、充電アダプタ２００は、例えば図７に示すように、充電用アタッチメント２１０と、充電ケーブル２２０と、アダプタ本体２３０と、を有している。充電用アタッチメント２１０は、充電ケーブル２２０の一端側に接続され、図６（ｂ）に示したように、操作ボタン１２１、１２２に組み込まれた各充電端子１７３を、機器本体１０１の内部空間１０７方向に押し込むとともに、各充電端子１７３に電気的に接続され、所定の電圧（例えば高電位電圧Ｖdd、低電位電圧Ｖss）を印加する給電端子２１１、２１２を備えている。また、アダプタ本体２３０は、充電ケーブル２２０の他端側に接続され、商用電源のコンセント２４０を介して供給される交流電圧を、電子機器１００への充電に適した所定の直流電圧に変換して、充電ケーブル２２０を介して、上記充電用アタッチメント２１０に供給する。
【００４９】
これにより、充電用アタッチメント２１０の給電端子２１１、２１２を、それぞれ操作ボタン１２１、１２２に組み込まれた各充電端子１７３に接触させて、押し込むように操作（充電操作）することにより、商用電源から充電アダプタ２００を介して供給される電力が、電子機器１００に内蔵された充電池１７１に良好に充電される。なお、本構成例に示した充電アダプタ２００（特に、充電用アタッチメント２１０やアダプタ本体２３０）の形状は、一例であって、本発明はこれに限定されるものではなく、他の構成を有するものであってもよい。
【００５０】
（変形例）
次に、上述した実施形態に示した電子機器をデータ伝送操作に適用する場合の構成例（変形例）について説明する。
図８は、本実施形態に係る電子機器をデータ伝送操作に適用する場合の構成例を示す概念図である。ここで、上述した実施形態と同等の構成については同一の符号を付して説明を簡略化する。
【００５１】
上述した実施形態においては、操作ボタン１２１、１２２の内部に充電端子１７３を組み込んで一体化した構成において、外部から充電端子１７３を介して電力を供給して、電子機器１００に内蔵する充電池１７１を充電する場合について説明した。本発明はこれに限定されるものではなく、以下に示すように、操作ボタン１２１、１２２の内部にデータ伝送用の接続端子（データ伝送端子）を組み込んで一体化した構成において、外部機器と当該データ伝送端子とを接続して、種々のデータを電子的に伝送する場合についても、同様の技術思想を適用することができる。なお、以下の説明においては、上述した実施形態における「充電端子」、「充電用」を、それぞれ「データ伝送端子」、「データ伝送用」と読み替えるものとする。
【００５２】
本構成例に係る電子機器１００は、上述した実施形態（図１〜図５参照）と同様に、操作ボタン１２１、１２２の内部にデータ伝送端子（「充電端子１７３」を読み替え）が組み込まれ、かつ、操作ボタン１２１、１２２と当該データ伝送端子の操作方向が同一方向になるように構成されている。また、電子機器１００の内部空間１０７には、操作ボタン１２１、１２２およびデータ伝送端子の操作方向に、データ伝送端子が挿通可能であって、かつ、操作ボタン１２１、１２２が挿通不可能な端子貫通穴１８３を有する入力設定用バネ部材１８０が配置されている。
【００５３】
このような構成を有する電子機器１００において、ユーザが操作ボタン１２１、１２２を押し込む操作（入力設定操作）を行うと、図６（ａ）に示した場合と同様に、入力設定用バネ部材１８０が操作ボタン１２１、１２２の他端側に押圧されて湾曲し、可動端側のＲ加工部１８２が操作入力用接点部材１９２に電気的に接触することにより、所定の入力信号がＣＰＵ１５０に伝達される。また、ユーザがデータ伝送端子を押し込む操作（データ伝送操作）を行うと、図６（ｂ）に示した場合と同様に、当該データ伝送端子が入力設定用バネ部材１８０に接触することなく端子貫通穴１８３を挿通し、通信部１４０に接続されたデータ伝送用接点（「充電用接点部材１９１」を読み替え）に電気的に接触することにより、データ伝送端子を介して電子機器１００が外部機器と接続されて、種々のデータが送受信される。
【００５４】
そして、本構成例に係る電子機器１００においては、例えば図８に示すようなデータ伝送アダプタ３００を適用することにより、通信部１４０を介して外部機器３３０との間で種々のデータの伝送が行われる。具体的には、データ伝送アダプタ３００は、例えば図８に示すように、データ伝送用アタッチメント３１０と、データ伝送ケーブル３２０と、を有している。データ伝送用アタッチメント３１０は、データ伝送ケーブル３２０の一端側に接続され、図６（ｂ）に示した場合と同様に、操作ボタン１２１、１２２に組み込まれた各データ伝送端子を、機器本体１０１の内部空間１０７方向に押し込むとともに、各データ伝送端子に電気的に接続され、各種のデータを伝送する伝送用端子３１１、３１２を備えている。また、データ伝送ケーブル３２０の他端側には、パーソナルコンピュータ等の外部機器３３０が接続され、データ伝送ケーブル３２０を介して、各種のデータをデータ伝送用アタッチメント３１０に伝送する。
【００５５】
これにより、データ伝送用アタッチメント３１０の伝送用端子３１１、３１２を、それぞれ操作ボタン１２１、１２２に組み込まれた各データ伝送端子に接触させて、押し込むように操作（データ伝送操作）することにより、外部機器３３０からデータ伝送ケーブル３２０を介して各種のデータが良好に伝送されて、電子機器１００に内蔵されたメモリ１６０の所定の記憶領域に保存されたり、あるいは、外部機器３３０の表示部において表示、閲覧される。なお、本構成例に示したデータ伝送アダプタ３００（特に、データ伝送用アタッチメント３１０）の形状は、一例であって、本発明はこれに限定されるものではなく、他の構成を有するものであってもよい。
【００５６】
なお、上述した実施形態および構成例においては、電子機器１００として、腕時計型の外観形状を有する場合について説明したが、本発明はこれに限定されるものではない。すなわち、機器本体の外面に、押しボタン型の操作ボタンやスイッチを有するとともに、充電用やデータ伝送用の接続端子、接点が露出する構造を有する電子機器であれば、本発明の技術思想を良好に適用することができる。すなわち、本発明に係る電子機器は、例えば携帯電話機やスマートフォン、メディアプレーヤ、心拍計、活動量計等の携帯型の電子機器であってもよいし、パーソナルコンピュータや音響映像機器、カーナビゲーションシステム等の据え置き型や据え付け型の電子機器に適用するものであってもよい。
【００５７】
以上、本発明のいくつかの実施形態について説明したが、本発明は、上述した実施形態に限定されるものではなく、特許請求の範囲に記載された発明とその均等の範囲を含むものである。
以下に、本願出願の当初の特許請求の範囲に記載された発明を付記する。
【００５８】
（付記）
［１］
機器本体の外面に露出して設けられた第１のボタンスイッチと、
前記第１のボタンスイッチと操作方向が同一方向に設定され、かつ、前記第１のボタンスイッチとは独立して前記操作方向に押下されるように、前記第１のボタンスイッチに組み込まれた第２のボタンスイッチと、
前記第１のボタンスイッチ及び前記第２のボタンスイッチに対して、前記第１のボタンスイッチ及び前記第２のボタンスイッチが押下される側に配置された導電性の弾性部材と、
前記第１のボタンスイッチを前記操作方向に押下することにより、前記弾性部材に接触する第１の接点と、
前記第２のボタンスイッチを前記操作方向に押下することにより、前記弾性部材に接触することなく、前記第２のボタンスイッチに接触する第２の接点と、
を有することを特徴とする電子機器である。
【００５９】
［２］
前記第１のボタンスイッチは、絶縁性の部材により構成され、前記操作方向に押下されることにより、前記弾性部材を押圧して、前記弾性部材と前記第１の接点とを電気的に接続させ、
前記第２のボタンスイッチは、導電性の部材により構成され、前記操作方向に押下されることにより、前記弾性部材に接触することなく、前記第２の接点に電気的に接続することを特徴とする［１］に記載の電子機器である。
［３］
前記第２のボタンスイッチは、前記機器本体の外部から所定の電力が供給され、前記操作方向に操作されることにより電気的に接触した前記第２の接点を介して、前記機器本体の内部に設けられた駆動用電源に前記電力を充電することを特徴とする［２］に記載の電子機器である。
［４］
前記第２のボタンスイッチは、前記機器本体の外部に設けられた外部機器に接続され、前記操作方向に操作されることにより電気的に接触した前記第２の接点を介して、前記外部機器との間で情報を電子的に伝送することを特徴とする［２］に記載の電子機器である。
【符号の説明】
【００６０】
１００    電子機器
１０１    機器本体
１０３    ケース
１０４    段付き貫通穴
１１０    センサ部
１２０    入力インターフェース部
１２１、１２２    操作ボタン（第１のボタンスイッチ）
１２４    段付き貫通穴
１３０    出力インターフェース部
１３１    表示部
１４０    通信部
１５０    ＣＰＵ
１６０    メモリ
１７０    電源部
１７１    充電池（駆動用電源）
１７３    充電端子（第２のボタンスイッチ）
１８０    入力設定用バネ部材（弾性部材）
１９１    充電用接点部材（第２の接点）
１９２    操作入力用接点部材（第１の接点）
２００    充電アダプタ
２１０    充電用アタッチメント
２１１、２１２    給電端子
３００    データ伝送アダプタ
３１０    データ伝送用アタッチメント
３１１、３１２    伝送用端子
３３０    外部機器
【図１】
2014060089.tif 000003
【図２】
2014060089.tif 000004
【図３】
2014060089.tif 000005
【図４】
2014060089.tif 000006
【図５】
2014060089.tif 000007
【図６】
2014060089.tif 000008
【図７】
2014060089.tif 000009
【図８】
2014060089.tif 000010